(57)【要約】      （修正有）【課題】取付面積を小さくできる電線固定クリップを提供する。【解決手段】車両のパネル等の基板類４に電線３を固定するため、電線が挿通される開閉可能な環状固定部１１と、環状固定部の内側から外側に向かってネジ等の固定手段５を挿通させる通孔１６と、を備える。環状固定部は、基板類に当接する基部１２と、基部の両側から立ち上がる側部１３，１４と、基部に対面する頂部１５を備え、一方の側部と頂部とはヒンジ部１７で屈曲可能に接続され、頂部と他方の側部はロック部１８，１９で係合する構造で、基部の通孔の内側の開口の周囲に固定手段の頭部５１が埋没する凹部２０が形成されている。【選択図】図５Ａ
2014207739.tif 000002
【特許請求の範囲】
【請求項１】
電線が挿通される開閉可能な環状固定部と、
前記環状固定部の内側から外側に向かって固定手段を挿通させる通孔と、を備える電線固定クリップ。
【請求項２】
前記環状固定部は、前記通孔が形成された基部と、当該基部の両端から延在する側部と、当該側部に連続し前記基部に対面する頂部とを含む請求項１に記載の電線固定クリップ。
【請求項３】
前記通孔の内側の開口の周囲に、前記固定手段の頭部が埋没する凹部が形成されている請求項１又は２に記載の電線固定クリップ。
【請求項４】
前記環状固定部の内側の前記通孔の対面側であって前記電線の延在方向の両端部に突部が形成されている請求項１〜３のいずれか一項に記載の電線固定クリップ。
【請求項５】
前記突部の内寸法間隔は、前記通孔が形成された基部の外寸法間隔より大きい請求項４に記載の電線固定クリップ。
【発明の詳細な説明】
【技術分野】
【０００１】
本発明は、電線固定クリップに関するものである。
【背景技術】
【０００２】
電線を基板類に固定するクリップとして、弾性プラスチック製帯体の両端を基板類に固定して環状とし、この環状帯体の中に固定すべき電線を挿通し、ネジなどによって基板類に固定するものが知られている（特許文献１）。
【先行技術文献】
【特許文献】
【０００３】
【特許文献１】実開昭５８−３２６８２号公報
【発明の概要】
【発明が解決しようとする課題】
【０００４】
しかしながら、上記従来のクリップは、環状帯体の外側でネジ等により基板類に固定する構造であるため、クリップの取付面積が大きくなるという問題がある。
【０００５】
本発明が解決しようとする課題は、取付面積を小さくできる電線固定クリップを提供することである。
【課題を解決するための手段】
【０００６】
本発明は、電線が挿通される開閉可能な環状固定部の内側から外側に向かって固定手段を挿通させることによって上記課題を解決する。
【発明の効果】
【０００７】
本発明によれば、環状固定部の内側から外側に向かって固定手段を挿通させてクリップを基板類に固定するので、固定手段による基板類への取付領域が環状固定部の領域に含まれることになり、その結果、クリップの取付面積を小さくすることができる。
【図面の簡単な説明】
【０００８】
【図１】本発明の一実施の形態に係る電線固定クリップを示す斜視図である。
【図２】図１のII-II線に沿う断面図である。
【図３】図１の電線固定クリップを組み付ける手順を説明するための断面図（その１）である。
【図４】図１の電線固定クリップを組み付ける手順を説明するための断面図（その２）である。
【図５Ａ】本発明の他の実施の形態に係る電線固定クリップを示す断面図である。
【図５Ｂ】図５ＡのVB-VB線に沿う断面図である。
【図６Ａ】本発明のさらに他の実施の形態に係る電線固定クリップを示す断面図である。
【図６Ｂ】図６ＡのVIB-VIB線に沿う断面図である。
【発明を実施するための形態】
【０００９】
以下、本発明の実施形態を図面に基づいて説明する。
《第１実施形態》
図１は、本発明の一実施の形態に係る電線固定クリップ１を示す斜視図、図２は図１のII-II線に沿う断面図である。本例の電線固定クリップ１は、車両のパネルやブラケットなどの各種基板類４に電線３を固定するための、たとえば合成樹脂で構成されクリップであり、電線３が挿通される環状固定部１１を備え、本例の環状固定部１１は、図２に示すように断面が略矩形に形成されている。なお、環状固定部１１は電線３を挿通可能な形成であればよいので、その断面形状は矩形に限定されず、円形や楕円形であってもよい。
【００１０】
環状固定部１１は、基板類４に当接する基部１２と、当該基部１２の両端から立ち上がる側部１３，１４と、基部１２に対面する頂部１５とを備える。基部１２には、環状固定部１１の内側から外側に向かってネジ５を挿通させる通孔１６が形成されている。また、一方の側部１３と頂部１５との間には屈曲可能なヒンジ部１７が形成され、これにより図３及び図４に示すように環状固定部１１が開閉可能とされている。
【００１１】
頂部１５の内側の先端と他方の側部１４の先端には、互いに係合するロック部１８，１９が形成され、頂部１５に形成された凸状の第１ロック部１８と側部１４に形成された凹状の第２ロック部１９が係合することで、頂部１５と側部１４とが固定され、図２に示すように環状固定部１１が構成される。
【００１２】
このように構成された本例の電線固定クリップ１により電線３を基板類４に固定するには、図３に示すように頂部１５を開いた状態で基部１２を基板類４の所定位置に当接し、ネジ５を通孔１６の内側から外側に向かって差し込み、基板類４のネジ穴４１に締め込む。これにより、環状固定部１１が基板類４に固定される。
【００１３】
次いで、図４に示すように頂部１５を開いた状態で電線３を環状固定部１１の内部にセットしたのち、頂部１５を閉じて第１ロック部１８を第２ロック部１９に挿入してロックする。これにより、図２に示すように電線３が環状固定部１１により保持され、その結果、電線３が基板類４に対して固定されることになる。
【００１４】
《第２実施形態》
図５Ａは本発明の他の実施の形態に係る電線固定クリップ１を示す断面図であり、図２に相当する断面図、図５Ｂは図５ＡのVB-VB線に沿う断面図である。本例の電線固定クリップ１は、上述した第１実施形態の電線固定クリップ１に比べて、基部１２に形成した通孔１６の内側の開口の周囲に、ネジ５の頭部５１が埋没する凹部２０を形成している点が相違する。その他の構成は第１実施形態に係る電線固定クリップ１と同じであるため同一の符号を付し、その説明をここに援用する。
【００１５】
基部１２の通孔１６の周囲に形成される凹部２０の長さＬ１は、少なくともネジ５の頭部５１の長さＬ２以上とすることが望ましい。環状固定部１１の内側に電線３を保持するにあたり、図２に示すようにネジ５の鋭利な頭部５１が内側面より突出すると電線３が擦れるおそれがあるが、本例のように凹部２０を形成してここにネジ５の頭部５１を埋没させることで、ネジ５の鋭利な頭部５１によって電線３が擦れることが抑制される。
【００１６】
《第３実施形態》
図６Ａは本発明のさらに他の実施の形態に係る電線固定クリップ１を示す断面図であり、図２に相当する断面図、図６Ｂは図６ＡのVIB-VIB線に沿う断面図である。本例の電線固定クリップ１は、上述した第１実施形態の電線固定クリップ１に比べて、基部１２に形成した通孔１６の内側の開口の周囲に、ネジ５の頭部５１が埋没する凹部２０を形成している点（上述した第２実施形態と同じ構成）と、環状固定部１１の内側の通孔１６の対面側であって電線３の延在方向の両端部に突部２１，２１が形成されている点が相違する。その他の構成は第１実施形態に係る電線固定クリップ１と同じであり、また凹部２０を形成した構成は第２実施形態を同じであるため、それぞれ同一の符号を付し、その説明をここに援用する。
【００１７】
図６Ｂに示すように、頂部１５の内側の両端部に形成する突部２１，２１の内寸法間隔Ｌ５は基部１２の外寸法間隔Ｌ４より大きく設定することが望ましい。頂部１５の内側の両端部に突部２１，２１を形成することで、環状固定部１１を挿通する電線３の両端が頂部１５側から基部１２側へ押し込まれる結果、電線３の中央部は同図に示すように頂部１５へ向かって凸状に折れ曲がる。これにより、電線３がネジ５の頭部５１と擦れることがより抑制されることになる。
【００１８】
以上のとおり、本例の電線固定クリップ１によれば、環状固定部１１の基部１２に内側から外側に向かってネジ５を挿通させる通孔１６を形成したので、クリップ自体を小さくすることができると同時に、基部１２の面積で基板類４に固定することができる。すなわち、図２に示すように電線固定クリップ１の取付面積（同図では長さＬ３を示す）が基部１２の面積となるため、電線固定クリップ１の取付面積を小さくすることができる。またこの結果、基板類４に対する取付位置の自由度が増加するので、電線３の配策性が向上する。
【００１９】
また本例の電線固定クリップ１によれば、通孔１６の内側の開口の周囲にネジ５の頭部５１が埋没する凹部２０を形成したので、電線３が鋭利なネジ５の頭部５１によって擦れることが抑制でき、電線３の配策信頼性が向上する。
【００２０】
また本例の電線固定クリップ１によれば、環状固定部１１の内側の通孔１６の対面側であって電線３の延在方向の両端部に突部２１，２１を形成したので、電線３の両端が頂部１５側から基部１２側へ押し込まれる結果、電線３の中央部は頂部１５へ向かって凸状に折れ曲がる。これにより、電線３が鋭利なネジ５の頭部５１によって擦れることがより一層抑制され、電線３の配策信頼性がより向上することになる。
【００２１】
特に突部２１，２１の内寸法間隔Ｌ５を基部１２の外寸法間隔Ｌ４より大きく設定すれば、電線３がより大きく折れ曲がるので、電線３の摩耗がより一層抑制され、電線３の配策信頼性がより向上することになる。
【００２２】
上記ネジ１６は本発明に係る固定手段に相当する。
【符号の説明】
【００２３】
１…電線固定クリップ
１１…環状固定部
１２…基部
１３，１４…側部
１５…頂部
１６…通孔
１７…ヒンジ部
１８…第１ロック部
１９…第２ロック部
２０…凹部
２１…突部
３…電線
４…基板類
５…ネジ（固定手段）
【図１】
2014207739.tif 000003
【図２】
2014207739.tif 000004
【図３】
2014207739.tif 000005
【図４】
2014207739.tif 000006
【図５Ａ】
2014207739.tif 000007
【図５Ｂ】
2014207739.tif 000008
【図６Ａ】
2014207739.tif 000009
【図６Ｂ】
2014207739.tif 000010